(57)【要約】      （修正有）【課題】緊急事態に迅速に対応して、有害環境における作業者の安全を確保することができる作業者安全支援システムを提供する。【解決手段】複数の空気ボンベ１１のそれぞれの空気吐出口に連通されたヘッダー管１３と、ヘッダー管に連結された減圧弁１５を介して設けられた空気供給ホース継手２０とをフレームに組み付けてなる空気供給源１と、空気流入側ホース継手４３と複数の空気流出側ホース継手４５を有するリザーバタンク２と、リザーバタンクと空気供給源を連結する空気供給ホース４２と、リザーバタンクの空気流出側ホース継手に連通された長尺のホース３を巻取り・巻出し可能な回転式のホースリール４と、ホースリールから巻き出されるホースが連結されるホース連結部５を有する気密防護服６と、リザーバタンクとホースリールと気密防護服が載置されて搬送可能に形成された備品搬送用架台とを有してなる。【選択図】図１
0003204294.tif 000002
【実用新案登録請求の範囲】
【請求項１】
空気が充填された複数の空気ボンベと、前記空気ボンベのそれぞれの空気吐出口に連通されたヘッダー管と、前記ヘッダー管に連結された減圧弁と、前記減圧弁の吐出配管に接続された空気供給ホース継手とが、強度部材で形成されたフレームに組み付けられてなる空気供給源と、
空気流入側ホース継手と、少なくとも２つの空気流出側ホース継手とを有するリザーバタンクと、
該リザーバタンクの前記空気流入側ホース継手と前記空気供給源の空気供給ホース継手とを連結する空気供給ホースと、
前記リザーバタンクの前記空気流出側ホース継手に接続されるホース継手を有し、該ホース継手に連通された長尺のホースを巻取り・巻出し可能な回転式の少なくとも２つのホースリールと、
前記ホースリールからそれぞれ巻き出される前記ホースが連結されるホース連結部を有する少なくとも２つの気密防護服と、
前記リザーバタンクと前記ホースリールと前記気密防護服が収容される箱型のケースとが載置される棚板を有する備品搬送用架台とを備えてなることを特徴とする有害環境における作業者安全支援システム。
【請求項２】
前記給気供給源は、さらに、前記減圧弁と空気供給ホース継手との間の前記吐出配管に介装された流量計を備えてなることを特徴とする請求項１に記載の有害環境における作業者安全支援システム。
【請求項３】
前記空気供給ホースは、前記空気供給源と前記備品搬送用架台のいずれか一方に備えられていることを特徴とする請求項１または２に記載の有害環境における作業者安全支援システム。
【請求項４】
前記気密防護服は、作業者の全身を覆うツナギ服と、頭部を覆うフードと、手袋と、長靴とから構成され、前記ツナギ服の胴部に前記ホース連結部が気密に連結されていることを特徴とする請求項１乃至３のいずれか１項に記載の有害環境における作業者安全支援システム。
【請求項５】
前記備品搬送架台は、さらに、作業者とその管理者が用いる無線通信式のトランシーバセットが収容された箱型の通信ユニットケースが載置されていることを特徴とする請求項１乃至４のいずれか１項に記載の有害環境における作業者安全支援システム。
【請求項６】
前記トランシーバセットは、前記作業者と前記管理者の通話内容を関係者に報知可能な拡声器セットを有してなることを特徴とする請求項５に記載の有害環境における作業者安全支援システム。
【請求項７】
前記備品搬送架台は、さらに、工具類を収容した箱型の工具ケースが載置されていることを特徴とする請求項１乃至６のいずれか１項に記載の有害環境における作業者安全支援システム。
【請求項８】
前記減圧弁と前記流量計は、制御電源および制御空気を用いないで動作するものであることを特徴とする請求項２乃至７のいずれか１項に記載の有害環境における作業者安全支援システム。
【請求項９】
前記空気供給源は、前記フレームに前記空気ボンベが立てて組み付けられ、かつ、前記空気ボンベの高さ方向複数個所で帯状部材の張力により固縛されていることを特徴とする請求項１乃至８のいずれか１項に記載の有害環境における作業者安全支援システム。
【考案の詳細な説明】
【技術分野】
【０００１】
本考案は、有害環境における作業者の安全を確保する作業者安全支援システムに係り、特に有害ガスなどの有害環境において作業者の呼吸を確保して緊急事態に迅速に対応するのに好適な作業者安全支援システムに関する。
【背景技術】
【０００２】
化学プラント、都市下水設備、等々においては、有害ガスなどの漏れあるいは有害塵埃の発生などに対応するために、有害環境における補修作業等を余儀なくされる場合がある。このような有害環境において、少なくとも作業者が呼吸する空気を確保するため、空気供給源から配管や硬質のゴムホースを介して作業者に空気を供給することが提案されている（特許文献１、２)。例えば、特許文献１には、エアコンプレッサを空気供給源として、空気供給源からの空気を減圧調整して、作業者が着用した気密防護服に供給して、作業者が呼吸する空気を供給する防護服用呼気供給装置が提案されている。
【０００３】
気密防護服は、作業者の全身を覆う例えばツナギ服と、頭部を覆うフードと、手袋と、長靴などから構成されている。つまり、有害ガスまたは有害塵埃などの作業環境では、口呼吸や皮膚呼吸だけでなく、作業者の皮膚に障害を及ぼすおそれがある。そこで、作業者は全身を覆う気密防護服を着用し、気密防護服に呼吸用の空気を供給する。一方、一般の塵埃などの場合は、作業者は頭部をすっぽり覆うフードを着用し、フードに呼吸用の空気を供給するようにしている(特許文献３)。これらによれば、有害環境における作業者の安全を確保することが可能である。
【先行技術文献】
【特許文献】
【０００４】
【特許文献１】特開平７-１８５０２６
【０００５】
【特許文献２】特許第３４３２３５９７号
【０００６】
【特許文献３】特開２０１４−４２５８９
【考案の概要】
【考案が解決しようとする課題】
【０００７】
しかし、特許文献1，2に記載された空気供給源は、特定の場所に固定して設けられることから、化学プラントや都市下水設備などのように、広い領域のどこで発生するか予測できない有害ガス漏れ等の対応作業に、迅速に対応することについての配慮が十分でない。また、空気供給装置を可搬式にして、緊急時に現場に搬送することが考えられるが、エアコンプレッサの電源が得られるか否かを確認したうえで搬送しなければならず、緊急事態に迅速に対応することができない。さらに、有害ガスまたは有害塵埃等の有害環境における作業者の安全を確実に確保するために必要な装備を、緊急事態の発生時に集めていたのでは、緊急事態に迅速に対応することができない。
【０００８】
本考案が解決しようとする課題は、緊急事態に迅速に対応して、有害環境における作業者の安全を確保することができる作業者安全支援システムを提供することにある。
【課題を解決するための手段】
【０００９】
上記の課題を解決するため、本考案の有害環境における作業者安全支援システムは、空気が充填された複数の空気ボンベと、前記空気ボンベのそれぞれの空気吐出口に連通されたヘッダー管と、前記ヘッダー管に連結された減圧弁と、前記減圧弁の吐出配管に接続された空気供給ホース継手とが、強度部材で形成されたフレームに組み付けられてなる空気供給源と、空気流入側ホース継手と、少なくとも２つの空気流出側ホース継手とを有するリザーバタンクと、該リザーバタンクの前記空気流入側ホース継手と前記空気供給源の空気供給ホース継手とを連結する空気供給ホースと、前記リザーバタンクの前記空気流出側ホース継手に接続されるホース継手を有し、該ホース継手に連通された長尺のホースを巻取り・巻出し可能な回転式の少なくとも２つのホースリールと、前記ホースリールからそれぞれ巻き出される前記ホースが連結されるホース連結部を有する少なくとも２つの気密防護服と、前記リザーバタンクと前記ホースリールと前記気密防護服が収容される箱型のケースとが載置される備品搬送用架台とを備えてなることを特徴とする。
【００１０】
本考案によれば、作業者の呼吸用の空気を複数本の空気ボンベから供給するようにしているから、空気供給源を容易に可搬式にすることができる。しかも、エアコンプレッサ等の駆動電源が不要であるから、作業現場がどのような場所であっても直ちに対応することができるので、緊急事態に迅速に対応することができる。
【００１１】
また、高圧の複数の空気ボンベから作業者の呼吸用の空気を供給するに際して、空気圧力を適切な圧力に調整する減圧弁を、それらの空気ボンベに連通されたヘッダー管に連結して設けているから、直ちに適切な圧力に調整して作業者に供給することができる。そのため、複数の空気ボンベの空気圧力がばらついていても、均一な圧力に調整して供給することができるから、呼気供給の信頼性を確保することができる。
【００１２】
しかも、複数の空気ボンベから減圧弁の吐出配管に接続された空気供給ホース継手に至る一連の空気供給源を、強度部材で形成されたフレームに組み付けて構成したことから、フレームごと作業現場に搬送して設置する時間だけで、直ちに作業者に呼気を供給することができる。その結果、有害ガス漏れ等の緊急事態に対応して、あるいは有害塵埃等の発生に対応して、元バルブの閉塞、捕集などの作業の安全性を確保しつつ、迅速に行うことを支援することができる。
【００１３】
さらに、本考案によれば、備品搬送用架台を備えていることから、空気供給源から作業者が着用する気密防護服に至るまでの安全作業に少なくとも必要な備品を、一まとめにして備品搬送用架台に載置しておくことができる。これらの備品としては、少なくとも、リザーバタンクと、長尺のホースを巻取り・巻出し可能な回転式の少なくとも２つのホースリールと、気密防護服が収容された箱型のケースとがある。その結果、安全作業に少なくとも必要な備品を常時、備品搬送用架台に載置しておくことにより、緊急時に備品搬送用架台を空気供給源とともに作業現場に運ぶことにより、直ちに作業者の気密防護服を介して作業者に呼気を供給することが可能になる。このとき、備品搬送用架台に複数の棚板を設けておき、リザーバタンクと、複数のホースリールと、気密防護服が収容された箱型のケースとを載置するようにする。なお、リザーバタンク、ホースリール、備品収容ケースは、必要に応じて棚板に着脱可能な係合部材で固定することにより、搬送中に落下を防止することができるので好ましい。なお、ホースリールおよび気密防護服を少なくとも２つ備えるのは、２名以上の作業者が作業に携わることにより、不測の事態に対応するためである。
【００１４】
また、空気供給源の空気供給ホース継手とリザーバタンクの空気流入側ホース継手とを連結する空気供給ホースは、空気供給源のフレームに予め組み付けておいてもよく、あるいはリザーバタンクに予め組み付けておいてもよい。但し、空気供給源とリザーバタンクの設置位置の自由度を考慮すると、空気供給源側に予め組み付けておくことが望ましい。
【００１５】
さらに、給気供給源は、減圧弁と空気供給ホース継手との間の吐出配管に介装された流量計を備えることが好ましい。これにより、管理者は、流量計の指示値を目視で確認して、例えば２名の作業者に十分な量の空気が供給されていることを適宜確認することができる。なお、通常、気密防護服内が正圧に保持されるように、十分な空気を供給する流量が設定される。勿論、作業者が３名以上のときは作業者の人数に応じて空気供給量が増えることは言うまでもない。
【００１６】
ところで、気密防護服は、公知のように、作業者の全身を覆うツナギ服と、頭部を覆うフードと、手袋と、長靴とから構成され、ツナギ服の胴部に空気を供給するホース連結部が気密に連結されている。さらに、備品搬送架台には、作業者とその管理者が用いる無線通信式のトランシーバセットが収容された箱型の通信ユニットケースが載置されていることが好ましい。これによれば、作業者と管理者が適宜連絡を取り合うことができ、作業の安全性を一層確保することができる。この場合、トランシーバセットは、作業者と管理者の通話内容を関係者に報知可能な拡声器セットを有するものとすることが好ましい。これにより、作業者と管理者以外の補助者が、作業内容を掌握することができ、一層安全性の向上に必要な支援を行うことが可能である。
【００１７】
なお、備品搬送架台には、さらに、工具類を収容した箱型の工具ケースを載置しておくことが好ましい。これによれば、作業者安全支援システムに不備が生じた際に、補修などに直ちに対応することができる。また、減圧弁と流量計は、制御電源および制御空気を用いないで動作するものであることが好ましい。これによれば、バッテリーなどの制御電源の喪失に対応する必要性が無いから、作業者安全支援システムの信頼性を確保することができる。さらに、空気供給源は、フレームに空気ボンベが立てて組み付けられ、かつ、空気ボンベの高さ方向複数個所で帯状部材の張力により固縛されていることが好ましい。これによれば、空気供給源の搬送時の安定性を確保することができる。
【考案の効果】
【００１８】
本考案の作業者安全支援システムによれば、緊急事態に迅速に対応して、有害環境における作業者の安全を確保することができる
【図面の簡単な説明】
【００１９】
【図１】本考案の作業者安全支援システムの一実施形態の系統構成図である。
【図２】図１の空気供給源の詳細構成図である。
【図３】本考案の作業者安全支援システムの一実施形態の備品搬送用架台の構成図である。
【図４】本考案の作業者安全支援システムの一実施形態の無線通信式のトランシーバセットのシステム構成図である。
【考案を実施するための形態】
【００２０】
以下、本考案の作業者安全支援システムを実施形態に基づいて説明する。本システムの説明に当り、塩素などの有害ガス漏れを伴う非常時、緊急時の作業者安全支援を例として説明する。しかし、本考案の作業者安全支援システムは、これに限られるものではなく、例えば化学プラントにおける硫化水素ガスの漏れ、都市下水設備における有害ガスの漏れ、あるいは石綿などの有害塵埃の発生場所などにおける有害環境において、作業者の安全を確保するのに適用することができる。
【００２１】
本実施形態の有害環境における作業者安全支援システムは、図１に示したように、空気供給源１と、空気のリザーバ―タンク２と、長尺のホース３を巻取り・巻出し可能な回転式の少なくとも２つのホースリール４と、ホースリール４からそれぞれ巻き出されるホース３が連結されるホース連結部５を有する少なくとも２つの気密防護服６を有して構成される。
【００２２】
空気供給源１は、図１、図２に示すように、空気が充填された複数（本実施形態では、８本）の空気ボンベ１１と、空気ボンベ１１のそれぞれの空気吐出口に、図示していない手動式の仕切弁を介して耐圧ゴムホース１２などにより連通されたヘッダー管１３とを備えている。ヘッダー管１３は直状に形成され、両端はフランジまたはプラグ１４で閉止されている。ヘッダー管１３には圧力計１５と減圧弁１６とが連通されている。減圧弁１６の吐出配管１７には圧力計１８が連通されている。圧力計１８の下流側に空気の流量計１９を介して空気供給ホース継手２０が接続されている。これらの空気供給源１を構成する部品は、図２に示すように、強度部材で形成されたフレーム２１に組み付けられている。
【００２３】
複数の空気ボンベ１１を組み付けてなるフレーム２１は、一般にカードルと称せられるが、本考案ではフレーム２１と称して説明する。フレーム２１は、図２（ｂ）に示すように、底部に位置される台座２２と、台座２２の短手方向の中心に位置させて起立して設けられた２本の断面箱型の柱部材２３と、台座２２の短手方向の両側面に起立して設けられた側板２４と、柱部材２３と側板２４の頂部に渡して設けられた梁部材２５とを有して形成されている。また、柱部材２３の中間部には適宜数（図示例では３本）の補強部材２６が、両側板２４と柱部材２３とに渡して連結されている。２本の柱部材２３の頂部には、空気ボンベ１１が組み付けられてなるフレーム２１の全体をクレーンなどで吊り上げ可能に、フック２７が固定されている。さらに、フレーム２１には、台座２２上に空気ボンベ１１を立てて載置した後、空気ボンベ１１の胴部を固縛するための４本の帯状部材２８の両端を固定する固定部材２９が両側板２４の中間部の位置に設けられている。さらに、４本の帯状部材２８に必要な張力を付与するため、台座２２の長手方向の中央部に位置する梁部材２６に支持させた張力調整パイプ３０が設けられている。つまり、４本の帯状部材２８の張力調整パイプ３０に対応する中央部に貫通孔を形成しておき、張力調整パイプ３０の両端に形成されたネジにナット３１などをネジ込んで、帯状部材２８を撓ませることにより、空気ボンベ１１に帯状部材２８の撓み張力を付与するように構成されている。なお、台座２２には、フォークリフトの２本の爪が挿入可能な開口部２２ａが適宜設けられている。このように、空気ボンベ１１を帯状部材２８の張力により固縛していることから、空気供給源１の搬送時の安定性を確保することができる。
【００２４】
リザーバタンク２は、図１に示すように、横型円筒状の胴部４１を有して形成されている。胴部４１には、空気供給源１の空気供給ホース継手２０に接続された空気供給ホース４２が接続されるホース継手４３が設けられている。また、胴部４１には、２つのホースリール４の１次側のホース４４がそれぞれ接続されるホース継手４５が設けられている。さらに、胴部４１には、丸棒などを折り曲げて形成した略三角状の２つの脚４６が設けられ、脚４６の反対側に丸棒などを折り曲げて形成した矩形の持ち手４７が設けられている。また、胴部４１の底部に位置させて、ドレン弁４８が設けられている。
【００２５】
２つのホースリール４は、それぞれ同一に構成されている。ホースリール４は、長尺のホース３を巻取り・巻出し可能な周知の回転式のものである。つまり、リールの中心に位置された空気を導入するパイプ５１を回転軸とし、そのパイプ５１に固定されたドラムを回転して、長尺のホース３を巻取り・巻出し可能に形成されている。パイプ５１の一端には、リザーバタンク２のホース継手４５に接続されたホース４４の他端が接続されるホース継手５２が設けられている。また、図示していないが、ホースリール４は手回しハンドルが設けられ、そのハンドルを回すことにより、長尺のホース３を巻取り・巻出し可能になっている。
【００２６】
気密防護服６は、広く知られているように、作業者の全身を覆うツナギ服６１と、頭部を覆うフード６２と、手袋６３と、長靴６４とから構成されている。ツナギ服６１の胴部に空気を供給するホース連結部５が気密に連結されている。また、フード６２の前面部６２ａは、作業者の視界を確保するために透明な部材で形成されている。また、気密防護服６は、作業者の呼吸に必要な空気を供給するとともに、内部を正圧に保持して気密防護服６の内部に外部の有害ガス等が進入しないようにしている。したがって、フード６２とツナギ服６１との重なり部、手袋６３とツナギ服６１の腕部との重なり部、長靴６４とツナギ服６１の脚部との重なり部を設けて、外気の侵入を阻止するようにしている。
【００２７】
図３に、空気のリザーバタンク２と、長尺のホース３を巻取り・巻出し可能な回転式の少なくとも２つのホースリール４と、ホースリール４からそれぞれ巻き出されるホース３が連結されるホース連結部５を有する少なくとも２つの気密防護服６などの備品を一まとめにして搬送する備品搬送用架台６０の一実施形態の構成を示す。備品搬送用架台６０は、同図に示すように、空気のリザーバタンク２と、回転式の少なくとも２つのホースリール４と、少なくとも２つの気密防護服６が収容される箱型のプラスチックケース６１とがそれぞれ載置される棚板６２を有する。備品搬送用架台６０の底部には、フォークリフトの２本の爪が挿入可能な開口部６３を有する脚部６４が適宜設けられている。各棚板６２は、底部の脚部５４から起立して設けられた例えば４本の柱部材６５に支持されている。
【００２８】
このようの構成される備品搬送用架台６０には、例えば、下段にホースリール４を載置し、中段にリザーバタンク２を載置し、上段に気密防護服６を収容したプラスチックケース６１を載置する。その状態で、空気供給源１とともに所定の格納場所に保管しておき、必要な緊急事態が発生したとき、フォークリフトや搬送車輛などにより使用場所に搬送することができる。
【００２９】
また、備品搬送架台６０には、図４に示すような作業者とその管理者が用いる無線通信式の親機７０と、複数の子機７１とからなるトランシーバセットが収容された箱型の通信ユニットケースを載置しておくことが好ましい。トランシーバセットは、親機７０と複数の子機７１とから構成する。これによれば、作業者と管理者が適宜連絡を取り合うことができ、作業の安全性を一層確保することができる。この場合、トランシーバセットは、作業者と管理者の通話内容を関係者に報知可能な拡声器セットを有するものとすることが好ましい。これにより、作業者と管理者以外の補助者が、作業内容を掌握することができ、一層安全性の向上に必要な支援を行うことが可能である。
【００３０】
以上説明した本考案の実施形態によれば、図１に示した作業者安全支援システムに必要は空気供給源１、リザーバタンク２、ホース３を巻取り・巻出し可能なホースリール４、および気密防護服６を一まとめにして所定の格納場所においておくことにより、必要な緊急事態が発生したとき、フォークリフトや搬送車輛によって使用場所に搬送することができる。そして、使用場所に設置した後、それらの機器をホースで接続するだけで、作業者安全支援システムを構成することができる。その結果、作業現場がどのような場所であっても直ちに対応することができるので、緊急事態に迅速に対応することができる。例えば、有害ガスの漏れ機器等につながる元バルブ等の閉塞、あるいはガス漏れ部のフランジ増し締め等の補修作業を速やかに行うことができる。
【００３１】
特に、本考案によれば、作業者の呼吸用の空気を複数本の空気ボンベ１１から供給するようにしているから、空気供給源１を容易に可搬式にすることができ、エアコンプレッサ等の駆動電源が不要であるから、作業現場がどのような場所であっても直ちに対応することができる。また、空気ボンベ１１は、必要に応じて新たな空気ボンベ１１に交換することにより、長時間の空気供給にも対応することができる。
【００３２】
また、高圧の複数の空気ボンベ１１から作業者の呼吸用の空気を供給するに際して、空気圧力を適切な圧力に調整する減圧弁１６を、それらの空気ボンベ１１に連通されたヘッダー管１３に連結して設けているから、直ちに適切な圧力に調整して作業者に供給することができる。そのため、複数の空気ボンベ１１の空気圧力がばらついていても、均一な圧力に調整して供給することができるから、呼気供給の信頼性を確保することができる。
【００３３】
しかも、複数の空気ボンベ１１から減圧弁１６の吐出配管に接続された空気供給ホース継手２０に至る一連の空気供給源１を、強度部材で形成されたフレーム２１に組み付けて構成したことから、フレーム２１ごと作業現場に搬送して設置する時間だけで、直ちに作業者に呼気を供給することができる。その結果、有害ガス漏れ等の緊急事態に対応して、あるいは有害塵埃等の発生に対応して、元バルブの閉塞、捕集などの作業の安全性を確保しつつ、迅速に行うことを支援することができる。
【００３４】
さらに、本考案によれば、備品搬送用架台６０を備えていることから、空気供給源１から作業者が着用する気密防護服６に至るまでの安全作業に少なくとも必要な備品を、一まとめにして備品搬送用架台６０に載置しておくことができる。その結果、安全作業に少なくとも必要な備品を常時、備品搬送用架台６０に載置しておくことにより、緊急時に備品搬送用架台６０を空気供給源１とともに作業現場に運ぶことができる。つまり、備品搬送用架台６０にリザーバタンク２と、複数のホースリール４と、気密防護服６が収容された箱型のケースとを載置するようにすることにより、直ちに作業者の気密防護服６を介して作業者に呼気を供給することが可能になる。なお、リザーバタンク２、ホースリール４、備品収容ケース等は、必要に応じて棚板６２に着脱可能な係合部材で固定することにより、搬送中に落下を防止することができるので好ましい。
【００３５】
また、空気供給源１の空気供給ホース継手２０とリザーバタンク２の空気流入側ホース継手４３とを連結する空気供給ホース４２は、空気供給源１のフレームに予め組み付けておいてもよく、あるいはリザーバタンク２に予め組み付けておいてもよい。但し、空気供給源１とリザーバタンク２の設置位置の自由度を考慮すると、空気供給源１側に予め組み付けておくことが望ましい。
【００３６】
さらに、給気供給源１には、減圧弁１６と空気供給ホース継手２０との間の吐出配管１７に流量計１９を備えていることから、管理者は、流量計１９の指示値を目視で確認して、例えば２名の作業者に十分な量の空気が供給されていることを適宜確認することができる。なお、通常、気密防護服６内が正圧に保持されるように、十分な空気を供給する流量が設定される。勿論、作業者が３名以上のときは作業者の人数に応じて空気供給量が増えることは言うまでもない。
【００３７】
なお、備品搬送架台６０には、工具類を収容した箱型の工具ケースを載置しておくことが好ましい。これによれば、作業者安全支援システムに不備が生じた際に、補修などに直ちに対応することができる。また、減圧弁１６と流量計１９は、制御電源および制御空気を用いないで動作するものを用いているから、バッテリーなどの制御電源の喪失に対応する必要性が無いので、作業者安全支援システムの信頼性を確保することができる。
【００３８】
以上、本考案を一実施形態に基づいて説明したが、本考案はこれらに限定されるものではない。本考案の主旨の範囲で変形又は変更された形態で実施することが可能であることは、当業者にあっては明白なことである。そのような変形又は変更された形態が本願の実用新案登録請求の範囲に属することは言うまでもない。
【符号の説明】
【００３９】
１  空気供給源
２  リザーバタンク
３  ホース
４  ホースリール
５  ホース連結部
６  気密防護服
１１  空気ボンベ
１３  ヘッダー管
１５  圧力計
１６  減圧弁
１８  圧力計
１９  流量計
２０  空気供給ホース継手
４２  空気供給ホース
４４  ホース
５１  パイプ
【図１】
0003204294.tif 000003
【図２】
0003204294.tif 000004
【図３】
0003204294.tif 000005
【図４】
0003204294.tif 000006